(57)【要約】【課題】光の進行方向を制御する光制御シートにおいて、透過光の出射角度範囲を狭くする。【解決手段】光制御シート２０は、一方向に配列された可視光遮光性を有する複数の第１遮光部３０と、前記一方向に配列された可視光遮光性を有する複数の第２遮光部４０と、を有する。各第１遮光部に対応して一つの第２遮光部が設けられている。前記複数の第２遮光部は、前記光制御シートの法線方向に前記複数の第１遮光部から離間している。【選択図】図１
2020140043.tif 000002
【特許請求の範囲】
【請求項１】
一方向に配列された可視光遮光性を有する複数の第１遮光部と、
前記一方向に配列された可視光遮光性を有する複数の第２遮光部と、を備える光制御シートであって、
各第１遮光部に対応して一つの第２遮光部が設けられ、
前記複数の第２遮光部は、前記光制御シートの法線方向に前記複数の第１遮光部から離間している、光制御シート。
【請求項２】
各第２遮光部の前記一方向における一側となる端部に接するようにして入射した後、前記第１遮光部及び前記第２遮光部の間となる領域の屈折率をｎとしてＡｒｃｓｉｎ（１／ｎ）〔°〕で表される角度だけ前記光制御シートの前記法線方向に対して前記一方向における他側に傾斜した方向に進む光は、当該第２遮光部に対応する一つの第１遮光部、又は、前記一つの第１遮光部に前記一方向における他側から隣り合う他の一つの第１遮光部に入射する、請求項１に記載の光制御シート。
【請求項３】
各第２遮光部の前記一方向における一側となる端部に接するようにして入射した後、前記第１遮光部及び前記第２遮光部の間となる領域の屈折率をｎとしてＡｒｃｓｉｎ（１／ｎ）〔°〕で表される角度だけ前記光制御シートの前記法線方向に対して前記一方向における他側に傾斜した方向に進む光は、当該第２遮光部に対応する一つの第１遮光部に入射する、請求項１又は２に記載の光制御シート。
【請求項４】
各第２遮光部の前記一方向における一側となる端部に接するようにして入射した後、前記光制御シートの前記法線方向に対して前記一方向における他側に傾斜した方向に進む光は、当該第２遮光部に対応する一つの第１遮光部、又は、前記一つの第１遮光部に前記一方向における他側から隣り合う他の一つの第１遮光部に入射する、請求項１〜３のいずれか一項に記載の光制御シート。
【請求項５】
前記第１遮光部及び前記第２遮光部の間となる領域の屈折率をｎとし、前記一方向に沿った前記第２遮光部の幅をＬ〔μｍ〕とし、前記光制御シートの前記法線方向に沿った前記第１遮光部および前記第２遮光部の離間距離をＤ〔μｍ〕として、次の式が成り立つ、請求項１〜４のいずれか一項に記載の光制御シート。
Ａｒｃｓｉｎ（１／ｎ）≦Ａｒｃｔａｎ（Ｌ／（２×Ｄ））
【請求項６】
前記一方向に沿った前記第２遮光部の幅をＬ〔μｍ〕とし、前記光制御シートの前記法線方向に沿った前記第１遮光部および前記第２遮光部の離間距離をＤ〔μｍ〕として、次の式が成り立つ、請求項１〜５のいずれか一項に記載の光制御シート。
Ｌ／２≦Ｄ
【請求項７】
各第２遮光部の前記一方向における一側となる端部に接するようにして入射した後、当該第２遮光部に対応する一つの第１遮光部が存在しないとの仮定で前記一つの第１遮光部に前記一方向における他側から隣り合う他の一つの第１遮光部のうちの前記一方向における最も一側であり且つ前記法線方向における前記第２遮光部から最も離間する側となる位置に向かう光の光路と交差するように、当該第２遮光部に対応する一つの第１遮光部が配置されている、請求項１〜６のいずれか一項に記載の光制御シート。
【請求項８】
各第２遮光部の前記一方向における一側となる端部と、当該第２遮光部に対応する一つの第１遮光部に前記一方向における他側から隣り合う他の一つの第１遮光部のうちの前記一方向における最も一側であり且つ前記法線方向における前記第２遮光部から最も離間する側となる位置と、を通過する直線が、前記一つの第１遮光部と交差する、請求項１〜７のいずれか一項に記載の光制御シート。
【請求項９】
前記第１遮光部は、前記一方向に沿った断面において、台形形状を有する、請求項１〜８のいずれか一項に記載の光制御シート。
【請求項１０】
前記法線方向に沿って前記第２遮光部に近接する側に上底が位置し、前記法線方向に沿って前記第２遮光部から離間する側に前記上底よりも幅が広い下底が位置する、請求項９のいずれか一項に記載の光制御シート。
【請求項１１】
前記一方向に沿った前記台形形状の前記上底の幅をＷＡ〔μｍ〕とし、前記光制御シートの前記法線方向に沿った前記第１遮光部および前記第２遮光部の離間距離をＤ〔μｍ〕として、次の式が成り立つ、請求項１０に記載の光制御シート。
ＷＢ／２≦Ｄ
【請求項１２】
前記一方向に沿った前記台形形状の上底の幅をＷＡ〔μｍ〕とし、前記一方向に沿った前記台形形状の下底の幅をＷＢ〔μｍ〕とし、前記法線方向に沿った前記台形形状の高さをＨ〔μｍ〕とし、前記一方向に沿った前記第２遮光部の幅をＬ〔μｍ〕とし、前記法線方向に沿った前記第１遮光部および前記第２遮光部の離間距離をＤ〔μｍ〕とし、前記一方向に沿った前記第１遮光部の配列ピッチをＰ〔μｍ〕として、次の式が成り立つ、請求項９〜１１のいずれか一項に記載の光制御シート。
（Ｐ−ＷＡ／２−ＷＢ／２）／Ｈ≦（ＷＡ＋Ｌ）／（２×Ｄ）
【請求項１３】
各第１遮光部の前記一方向に沿った長さは、当該第１遮光部に対応する第２遮光部の前記一方向に沿った長さと同一である、請求項１〜１２のいずれか一項に記載の光制御シート。
【請求項１４】
各第１遮光部の前記一方向に沿った長さは、当該第１遮光部に対応する第２遮光部の前記一方向に沿った長さより長い、請求項１〜１２のいずれか一項に記載の光制御シート。
【請求項１５】
各第１遮光部の前記一方向に沿った長さは、当該第１遮光部に対応する第２遮光部の前記一方向に沿った長さより短い、請求項１〜１２のいずれか一項に記載の光制御シート。
【請求項１６】
各第１遮光部は、前記一方向と前記法線方向との両方に非平行な方向に延び、
各第２遮光部は、前記一方向と前記法線方向との両方に非平行な前記方向に延びる、請求項１〜１５のいずれか一項に記載の光制御シート。
【請求項１７】
前記一方向に隣り合う二つの第１遮光部の間と、前記法線方向において前記複数の第１遮光部及び前記複数の第２遮光部の間とに、可視光透過性を有した透過部を、更に備える、請求項１〜１６のいずれか一項に記載の光制御シート。
【請求項１８】
一方の面に形成された複数の凹部内に前記複数の第１遮光部を設けられ且つ他方の面上に前記複数の第２遮光部を設けられた可視光透過性を有した透過部を、更に備える、請求項１〜１７のいずれか一項に記載の光制御シート。
【請求項１９】
前記第２遮光部は、遮光膜である、請求項１〜１８のいずれか一項に記載の光制御シート。
【請求項２０】
各第１遮光部の前記法線方向に沿った高さは、前記第２遮光部の前記法線方向に沿った厚みよりも大きい、請求項１〜１９のいずれか一項に記載の光制御シート。
【請求項２１】
各第１遮光部と当該第１遮光部に対応する第２遮光部は、前記法線方向への投影において、少なくとも部分的に重なる、請求項１〜２０のいずれか一項に記載の光制御シート。
【請求項２２】
請求項１〜２１のいずれか一項に記載された光制御シートと、
前記光制御シートと重ねられた画像形成装置と、を備える、表示装置。
【請求項２３】
請求項１〜２１のいずれか一項に記載された光制御シートを備える、区画部材。
【請求項２４】
請求項１〜２１のいずれか一項に記載された光制御シートである第１光制御シートと、
請求項１〜２１のいずれか一項に記載された光制御シートであり前記第１光制御シートに積層された第２光制御シートと、を備え、
前記第１光制御シートにおける前記複数の第１遮光部の配列方向は、前記第２光制御シートにおける前記複数の第１遮光部の配列方向と非平行である、光制御シート組合体。
【請求項２５】
請求項２４に記載された光制御シート組合体と、
前記光制御シート組合体と重ねられた画像形成装置と、を備える、表示装置。
【請求項２６】
請求項２４に記載された光制御シート組合体を備える、区画部材。
【発明の詳細な説明】
【技術分野】
【０００１】
本発明は、光の進行方向を制御する光制御シート及び光制御シート組合体、光制御シートを含む表示装置、並びに、光制御シートを含む区画部材に関する。
【背景技術】
【０００２】
例えば特許文献１に開示されているように、透過光の進行方向を制御する光制御シートが知られている。特許文献１に開示されているように、所定の方向を中心とした狭い角度範囲内に進む光のみを透過させる光制御シートは、シート面に沿う方向に配列された多数の遮光部を有している。遮光部の断面形状が高アスペクトを有する場合、透過光の出射角度範囲を狭くすることができる。
【先行技術文献】
【特許文献】
【０００３】
【特許文献１】特開２００６−１８４６０９号公報
【発明の概要】
【発明が解決しようとする課題】
【０００４】
しかしながら、高アスペクトの遮光部を形成することは困難であり、透過光の出射角度範囲を十分に狭くすることができない。その一方で、昨今では、覗き見防止等の観点から、透過光の出射角度範囲を狭くする要求、つまり視野角を狭くする要求が一層強くなっている。また、視野角制御以外だけでなく光学素子（例えばセンサ）への入射角度を制御する目的においても、透過光の進行方向の角度範囲を狭くする要望がある。
【０００５】
本発明は、以上の点を考慮してなされたものであり、光の進行方向を制御する光制御シートにおいて、透過光の出射角度範囲を狭くすることを目的とする。
【課題を解決するための手段】
【０００６】
本発明による光制御シートは、
一方向に配列された可視光遮光性を有する複数の第１遮光部と、
前記一方向に配列された可視光遮光性を有する複数の第２遮光部と、を備える光制御シートであって、
各第１遮光部に対応して一つの第２遮光部が設けられ、
前記複数の第２遮光部は、前記光制御シートの法線方向に前記複数の第１遮光部から離間している。
【０００７】
本発明による光制御シートにおいて、各第２遮光部の前記一方向における一側となる端部に接するようにして入射した後、前記第１遮光部及び前記第２遮光部の間となる領域の屈折率をｎとしてＡｒｃｓｉｎ（１／ｎ）〔°〕で表される角度だけ前記光制御シートの前記法線方向に対して前記一方向における他側に傾斜した方向に進む光は、当該第２遮光部に対応する一つの第１遮光部、又は、前記一つの第１遮光部に前記一方向における他側から隣り合う他の一つの第１遮光部に入射するようにしてもよい。
【０００８】
本発明による光制御シートにおいて、各第２遮光部の前記一方向における一側となる端部に接するようにして入射した後、前記第１遮光部及び前記第２遮光部の間となる領域の屈折率をｎとしてＡｒｃｓｉｎ（１／ｎ）〔°〕で表される角度だけ前記光制御シートの前記法線方向に対して前記一方向における他側に傾斜した方向に進む光は、当該第２遮光部に対応する一つの第１遮光部に入射するようにしてもよい。
【０００９】
本発明による光制御シートにおいて、各第２遮光部の前記一方向における一側となる端部に接するようにして入射した後、前記光制御シートの前記法線方向に対して前記一方向における他側に傾斜した方向に進む光は、当該第２遮光部に対応する一つの第１遮光部、又は、前記一つの第１遮光部に前記一方向における他側から隣り合う他の一つの第１遮光部に入射するようにしてもよい。
【００１０】
本発明による光制御シートにおいて、前記第１遮光部及び前記第２遮光部の間となる領域の屈折率をｎとし、前記一方向に沿った前記第２遮光部の幅をＬ〔μｍ〕とし、前記光制御シートの前記法線方向に沿った前記第１遮光部および前記第２遮光部の離間距離をＤ〔μｍ〕として、次の式が成り立つようにしてもよい。
Ａｒｃｓｉｎ（１／ｎ）≦Ａｒｃｔａｎ（Ｌ／（２×Ｄ））
【００１１】
本発明による光制御シートにおいて、前記一方向に沿った前記第２遮光部の幅をＬ〔μｍ〕とし、前記光制御シートの前記法線方向に沿った前記第１遮光部および前記第２遮光部の離間距離をＤ〔μｍ〕として、次の式が成り立つようにしてもよい。
Ｌ／２≦Ｄ
【００１２】
本発明による光制御シートにおいて、各第２遮光部の前記一方向における一側となる端部に接するようにして入射した後、当該第２遮光部に対応する一つの第１遮光部が存在しないとの仮定で前記一つの第１遮光部に前記一方向における他側から隣り合う他の一つの第１遮光部のうちの前記一方向における最も一側であり且つ前記法線方向における前記第２遮光部から最も離間する側となる位置に向かう光の光路と交差するように、当該第２遮光部に対応する一つの第１遮光部が配置されていてもよい。
【００１３】
本発明による光制御シートにおいて、各第２遮光部の前記一方向における一側となる端部と、当該第２遮光部に対応する一つの第１遮光部に前記一方向における他側から隣り合う他の一つの第１遮光部のうちの前記一方向における最も一側であり且つ前記法線方向における前記第２遮光部から最も離間する側となる位置と、を通過する直線が、前記一つの第１遮光部と交差するようにしてもよい。
【００１４】
本発明による光制御シートにおいて、前記第１遮光部は、前記一方向に沿った断面において、台形形状を有するようにしてもよい。
【００１５】
本発明による光制御シートにおいて、前記法線方向に沿って前記第２遮光部に近接する側に上底が位置し、前記法線方向に沿って前記第２遮光部から離間する側に前記上底よりも幅が広い下底が位置するようにしてもよい。
【００１６】
本発明による光制御シートにおいて、前記一方向に沿った前記台形形状の前記上底の幅をＷＡ〔μｍ〕とし、前記光制御シートの前記法線方向に沿った前記第１遮光部および前記第２遮光部の離間距離をＤ〔μｍ〕として、次の式が成り立つようにしてもよい。
ＷＢ／２≦Ｄ
【００１７】
本発明による光制御シートにおいて、前記一方向に沿った前記台形形状の上底の幅をＷＡ〔μｍ〕とし、前記一方向に沿った前記台形形状の下底の幅をＷＢ〔μｍ〕とし、前記法線方向に沿った前記台形形状の高さをＨ〔μｍ〕とし、前記一方向に沿った前記第２遮光部の幅をＬ〔μｍ〕とし、前記法線方向に沿った前記第１遮光部および前記第２遮光部の離間距離をＤ〔μｍ〕とし、前記一方向に沿った前記第１遮光部の配列ピッチをＰ〔μｍ〕として、次の式が成り立つようにしてもよい。
（Ｐ−ＷＡ／２−ＷＢ／２）／Ｈ≦（ＷＡ＋Ｌ）／（２×Ｄ）
【００１８】
本発明による光制御シートにおいて、各第１遮光部の前記一方向に沿った長さは、当該第１遮光部に対応する第２遮光部の前記一方向に沿った長さと同一であってもよい。
【００１９】
本発明による光制御シートにおいて、各第１遮光部の前記一方向に沿った長さは、当該第１遮光部に対応する第２遮光部の前記一方向に沿った長さより長くなっていてもよい。
【００２０】
本発明による光制御シートにおいて、各第１遮光部の前記一方向に沿った長さは、当該第１遮光部に対応する第２遮光部の前記一方向に沿った長さより短くなっていてもよい。
【００２１】
本発明による光制御シートにおいて、
各第１遮光部は、前記一方向と前記法線方向との両方に非平行な方向に延び、
各第２遮光部は、前記一方向と前記法線方向との両方に非平行な前記方向に延びるようにしてもよい。
【００２２】
本発明による光制御シートは、前記第１方向に隣り合う二つの第１遮光部の間と、前記法線方向において前記複数の第１遮光部及び前記複数の第２遮光部の間とに、可視光透過性を有した透過部を、更に備えるようにしてもよい。
【００２３】
本発明による光制御シートは、前記一方の面に形成された複数の凹部内に前記複数の第１遮光部を設けられ且つ前記他方の面上に前記複数の第２遮光部を設けられた可視光透過性を有した透過部を、更に備えるようにしてもよい。
【００２４】
本発明による光制御シートにおいて、前記第２遮光部は遮光膜であってもよい。
【００２５】
本発明による光制御シートにおいて、各第１遮光部の前記法線方向に沿った高さは、前記第２遮光部の前記法線方向に沿った厚みよりも大きくなっていてもよい。
【００２６】
本発明による光制御シートにおいて、各第１遮光部と当該第１遮光部に対応する第２遮光部は、前記法線方向への投影において、少なくとも部分的に重なるようにしてもよい。
【００２７】
本発明による第１の表示装置は、
上述した本発明による光制御シートのいずれかと、
前記光制御シートと重ねられた画像形成装置と、を備える。
【００２８】
本発明による第１の区画部材は、上述した本発明による光制御シートのいずれかを備える。
【００２９】
本発明による光制御シート組合体は、
上述した本発明による光制御シートのいずれかである第１光制御シートと、
上述した本発明による光制御シートのいずれかであり前記第１光制御シートに積層された第２光制御シートと、を有し、
前記第１光制御シートにおける前記複数の第１遮光部の配列方向は、前記第２光制御シートにおける前記複数の第１遮光部の配列方向と非平行となっている。
【００３０】
本発明による第２の表示装置は、
上述した本発明による光制御シート組合体のいずれかと、
前記光制御シート組合体と重ねられた画像形成装置と、を備える。
【００３１】
本発明による第２の区画部材は、上述した本発明による光制御シート組合体のいずれかを備える。
【発明の効果】
【００３２】
本発明によれば、光の進行方向を制御する光制御シートにおいて、透過光の出射角度範囲を効果的に狭くすることができる。
【図面の簡単な説明】
【００３３】
【図１】図１は、本発明の一実施の形態を説明するための図であって、光制御シートを示す斜視図である。
【図２】図２は、図１の光制御シートを示す断面図である。
【図３】図３は、図１の光制御シートを示す断面図であって、光制御シートの作用を説明するための図である。
【図４】図４は、図１の光制御シートを示す断面図であって、光制御シートの作用を説明するための図である。
【図５】図５は、図１の光制御シートを示す断面図であって、光制御シートの作用を説明するための図である。
【図６】図６は、図１の光制御シートを含む表示装置の一例を示す側面図である。
【図７】図７は、図１の光制御シートを含む表示装置の他の例を示す側面図である。
【図８】図８は、図３に対応する図であって、光制御シートの一変形例を説明するための図である。
【図９】図９は、図１に対応する図であって、複数の光制御シートを含む光制御シート組合体を説明するための斜視図である。
【図１０】図１０は、図１の光制御シートを含む区画部材の一例を示す斜視図である。
【図１１】図１１は、図３に対応する図であって、光制御シートの一参考例を示す断面図である。
【図１２】図１２は、図３に対応する図であって、光制御シートの他の参考例を示す断面図である。
【発明を実施するための形態】
【００３４】
以下、図面を参照して本発明の一実施の形態について説明する。本件明細書に添付する図面においては、図示と理解のしやすさの便宜上、適宜縮尺および縦横の寸法比等を、実物のそれらから変更し誇張してある。また、図面間での方向関係を明確化するため、いくつかの図面には、第１方向Ｄ１、第２方向Ｄ２及び第３方向Ｄ３を図面間で共通する方向として矢印で示している。矢印の先端側が、各方向Ｄ１，Ｄ１，Ｄ１の一側Ｓ１Ａ，Ｓ２Ａ，Ｓ３Ａとなる。
【００３５】
図１〜図１０は、一実施の形態およびその変形例を説明するための図である。このうち図１〜図８に示された例では、光制御シートを表示装置に適用している。一方、図１０に示された例では、光制御シートを区画部材に適用している。
【００３６】
本明細書において、「シート」、「フィルム」、「板」の用語は、呼称の違いのみに基づいて、互いから区別されるものではない。例えば、「シート」はフィルムや板と呼ばれ得るような部材も含む概念であり、したがって、「光制御シート」は、「光制御フィルム」や「光制御板」と呼ばれる部材と呼称の違いのみにおいて区別され得ない。
【００３７】
また、「シート面（フィルム面、板面）」とは、対象となるシート状（フィルム状、板状）の部材を全体的かつ大局的に見た場合において対象となるシート状（フィルム状、板状）の部材の平面と一致する面のことを指す。また、シート状（フィルム状、板状）の部材に対する法線方向とは、当該シート状（フィルム状、板状）の部材のシート面（フィルム面、板面）への法線方向のことを指す。
【００３８】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３９】
図示するように一実施の形態において、光制御シート２０は、光の進行方向を制御するための部材であって、第１方向（一方向）Ｄ１に配列された可視光遮光性を有する複数の第１遮光部３０と、第１方向Ｄ１に配列された可視光遮光性を有する複数の第２遮光部４０と、を有している。とりわけ、本実施の形態による光制御シート２０には、透過光の出射角度範囲を効果的に狭くするための工夫が成されている。具体的には、各第１遮光部３０に対応して一つの第２遮光部４０が設けられている。そして、複数の第２遮光部４０は、光制御シート２０の法線方向に複数の第１遮光部３０から離間している。本実施の形態では、第１遮光部３０及び第２遮光部４０の組み合わせにより、透過光の出射角度の範囲を効果的に絞ること、言い換えると効果的に狭い角度範囲内とすることが可能となる。これにより、例えば表示装置１０への適用においては、表示装置１０の表示を有効に視認できる角度範囲、すなわち視野角を効果的に狭めることができる。
【００４０】
まず、図１〜図８に示された一具体例を参照して本実施の形態について説明する。図６及び図７は、光制御シート２０が組み込まれた表示装置１０の構成を模式的に示す側断面図である。図６及び図７に示すように、表示装置１０は、画像を形成する画像形成装置１５と、画像形成装置１５に積層された光制御シート２０と、を有している。この例において、光制御シート２０が、画像を形成する光の進行方向を特定の方向を中心とした狭い角度範囲に絞る。観察者は、表示装置１０から射出する画像光を狭い角度範囲の視野角内において観察することができる。その一方で、表示装置１０によって表示される画像は、視野角以外の角度範囲からは視認され得ないようになる。このような表示装置１０において、光制御シート２０は、視野角を狭めて、覗き見を防止する機能を発揮する。
【００４１】
光制御シート２０が適用される表示装置１０の型式は特に限定されない。図６及び図７に示された例において、表示装置１０は、液晶表示パネルとしての画像形成装置１５を有している。そして、図６及び図７に示された表示装置１０は、面状に光を発光する面光源装置１２を更に有している。面光源装置１２は、いわゆるバックライトとして画像形成装置１５を背面側から面状に照明する。面光源装置１２は、エッジライト型や直下型等の種々の型式を採用することができる。図６に示された例において、光制御シート２０は、画像形成装置１５の面光源装置１２とは反対側に配置されている。図６に示された例において、画像形成装置１５から射出した画像光は、光制御シート２０を透過する際に進行方向を狭い角度範囲に絞り込まれる。また、図７に示された例において、光制御シート２０は、面光源装置１２と画像形成装置１５との間に配置されている。図７に示された例において、面光源装置１２から射出した照明光は、光制御シート２０を透過する際に進行方向を狭い角度範囲に絞り込まれる。
【００４２】
次に、光制御シート２０について説明する。図１に示すように、光制御シート２０は、シート状の部材として形成されている。光制御シート２０は、そのシート面に沿った第１方向Ｄ１に配列された複数の第１遮光部３０と、第１方向Ｄ１に配列された複数の第２遮光部４０と、を有している。第１遮光部３０及び第２遮光部４０は、可視光遮光性を有している。すなわち、第１遮光部３０及び第２遮光部４０は、可視光を透過させない機能を有している。第１遮光部３０及び第２遮光部４０は、典型的には、可視光を吸収する可視光吸収性を有している。
【００４３】
図示された例において、各第１遮光部３０は、第１方向Ｄ１と非平行な方向に延びている。とりわけ図示された各第１遮光部３０は、第１方向Ｄ１と直交し且つ光制御シート２０のシート面に沿った第２方向Ｄ２に直線状に延びている。第２遮光部４０は、各第１遮光部３０に対応して設けられている。一つの第１遮光部３０に対して一つの第２遮光部４０が設けられており、他の一つの第１遮光部３０に対して他の一つの第２遮光部４０が設けられている。図示された例において、各第２遮光部４０は、第１方向Ｄ１と非平行な方向に延びている。とりわけ図示された各第２遮光部４０は、第１方向Ｄ１と直交し且つ光制御シート２０のシート面に沿った第２方向Ｄ２に直線状に延びている。
【００４４】
図示された例において、光制御シート２０は、第１遮光部３０を含んだ光学シート２１を有している。光学シート２１は、互いに対向する一対の第１主面２１Ａ及び第２主面２１Ｂを有したシート状の部材である。光学シート２１は、可視光透過性を有した透過部２５を有している。そして、透過部２５は、シート状に形成されている。透過部２５は、光学シート２１の第１主面２１Ａの全部と第２主面２１Ｂの一部分とを形成している。透過部２５は、第２主面２１Ｂを形成する面に複数の凹部２５ａを形成されている。言い換えると、透過部２５は、第１主面２１Ａを形成するシート状のベース部分２６と、ベース部分２６上に設けられた複数の突出部分２９と、を有している。第１方向Ｄ１に隣り合う二つの突出部分２９の間に凹部２５ａが設けられている。突出部分２９は、光制御シート２０の法線方向である第３方向Ｄ３に、ベース部分２６から突出している。第３方向Ｄ３は、第１方向Ｄ１及び第２方向Ｄ２の両方に対して直交している。
【００４５】
なお、後述する製造方法に起因して、ベース部分２６は、互いに積層された第１ベース部２７及び第２ベース部２８を有している。第１ベース部２７は、第１主面２１Ａを形成している。第１ベース部２７は、一例として、透明な樹脂製フィルムから構成され得る。第２ベース部２８は、第１ベース部２７と突出部分２９との間に位置し、突出部分２９と一体的に成形されている。すなわち、第２ベース部２８は、複数の突出部分２９を支持するランド部として機能する。ただし、光制御シート２０から第２ベース部２８を省いてもよいし、光制御シート２０から第１ベース部２７を省いてもよい。
【００４６】
透過部２５の各凹部２５ａ内に第１遮光部３０が充填されている。すなわち、光学シート２１は、一方の面に複数の凹部２５ａを形成された透過部２５と、凹部２５ａ内に設けられた複数の第１遮光部３０と、を有している。図２に示すように、各第１遮光部３０は、光制御シート２０の厚み方向（第３方向Ｄ３）に厚み（高さＨ）を有した部位として形成されている。そして、第１遮光部３０及び突出部分２９は、第１方向Ｄ１に交互に配置されている。したがって、各突出部分２９及び各凹部２５ａは、第１遮光部３０と同様に、第１方向Ｄ１と非平行な方向に線状に延び、とりわけ第１方向Ｄ１に直交する第２方向Ｄ２に直線状に延びている。
【００４７】
一方、第２遮光部４０は、光学シート２１の平坦な第２主面２１Ｂ上に設けられている。すなわち、透過部２５は、一方の面に形成された複数の凹部２５ａ内に複数の第１遮光部３０を支持し且つ他方の面上に複数の第２遮光部４０を設けられている。さらに表現を換えると、透過部２５は、第１方向Ｄ１に隣り合う二つの第１遮光部３０の間と、第３方向Ｄ３において複数の第１遮光部３０及び複数の第２遮光部４０の間とに、設けられている。つまり、第３方向Ｄ３における第１遮光部３０及び第２遮光部４０の間には、透過部２５のベース部分２６が介在している。したがって、複数の第２遮光部４０は、光制御シート２０の法線方向である第３方向Ｄ３において、複数の第１遮光部３０から離間している。図示されて例において、各第２遮光部４０は、対応する第１遮光部３０の第３方向Ｄ３における一側Ｓ３Ａに位置している。
【００４８】
図示された第２遮光部４０は、可視光遮光性を有した薄い層（遮光膜）として形成されている。第２遮光部４０の第３方向Ｄ３に沿った厚みは、第１遮光部３０の第３方向Ｄ３に沿った高さＨよりも小さくなっている。
【００４９】
図２には、光制御シート２０の主切断面として、第１遮光部３０及び第２遮光部４０の配列方向である第１方向Ｄ１及び光学シート２１の法線方向である第３方向Ｄ３の両方に平行となる断面にて、光制御シート２０が示されている。図２に示すように、第１遮光部３０は、透過部２５とともに光制御シート２０の第２主面２１Ｂを形成する底面（第２底面）３２と、底面３２から延び出た第１側面３３及び第２側面３４と、を含んでいる。図示された例において、第１方向Ｄ１に沿った第１側面３３及び第２側面３４の離間間隔は、第３方向Ｄ３に沿って底面３２から離間して一側Ｓ３Ａに向かうにつれて、互いに接近していく。図示された例において、第１側面３３及び第２側面３４は、光制御シート２０の主切断面において、直線状に形成されているが、折れ線状に形成されていてもよいし、曲線状に形成されていてもよいし、或いは、直線と曲線との組み合わせとして形成されていてもよい。
【００５０】
とりわけ図示された例において、第１側面３３及び第２側面３４は、第３方向Ｄ３における一側Ｓ３Ａにおいて、共に第１底面３１に接続している。図示された例において、第１底面３１は、第２底面３２とともに、光制御シート２０のシート面に沿って延びている。第１遮光部３０は、光制御シート２０の主切断面において、台形形状を有している。とりわけ図示された例において、第１遮光部３０の断面形状である台形の幅狭の上底３１Ａが、第３方向Ｄ３において第２遮光部４０に近接する一側Ｓ３Ａに位置している。第１遮光部３０の断面形状である台形の幅広の下底３２Ａが、第３方向Ｄ３において第２遮光部４０から離間する他側に位置している。すなわち、第１遮光部３０の第２底面３２よりも第１方向Ｄ１に沿った幅が狭い第１底面３１が、第１遮光部３０の断面形状がなす台形の上底３１Ａを形成している。第１遮光部３０の第１底面３１よりも第１方向Ｄ１に沿った幅が広い第２底面３２が、第１遮光部３０の断面形状がなす台形の下底３２Ａを形成している。このような第１遮光部３０は比較的容易に形成することができ、また後述するように、視野角を有効に狭めながら、透過光量を確保することが可能となる。
【００５１】
また、図示された第１遮光部３０は、光制御シート２０の主切断面において、等脚台形形状を有している。このような第１遮光部３０によれば、光制御シート２０の法線方向（第３方向）Ｄ３を中心として第１方向Ｄ１に対称的な配向特性を実現することができる。
【００５２】
図示された例において、第１遮光部３０は、第１方向Ｄ１に沿って等間隔に配置されている。また、第１遮光部３０は、断面形状を変化させることなく、第２方向Ｄ２に延びている。さらに、光制御シート２０に含まれる多数の第１遮光部３０は、互いに同一に構成されている。以上の第１遮光部３０の構成にともない、図示された例では、光制御シート２０に含まれる透過部２５の突出部分２９も、第１方向Ｄ１に沿って等間隔に配置され、断面形状を変化させることなく第２方向Ｄ２に延び、且つ、互いに同一に構成されている。
【００５３】
図２に示された光制御シート２０の主切断面において、第１方向Ｄ１に沿った第１遮光部３０の配列ピッチＰを、一例として、２０μｍ以上５００μｍ以下とすることができる。光制御シート２０の主切断面において、第１方向Ｄ１に沿った第１遮光部３０の第１底面３１（上底３１Ａ）の幅ＷＡを、一例として、１μｍ以上５０μｍ以下とすることができる。光制御シート２０の主切断面において、第１方向Ｄ１に沿った第１遮光部３０の第２底面３２（下底３２Ａ）の幅ＷＢを、一例として、５μｍ以上１００μｍ以下とすることができる。光制御シート２０の主切断面において、光制御シート２０の法線方向である第３方向Ｄ３に沿った第１遮光部３０の高さＨを、一例として、２０μｍ以上５００μｍ以下とすることができる。光制御シート２０の主切断面において、光制御シート２０の法線方向である第３方向Ｄ３に沿った第１遮光部３０及び第２遮光部４０の離間距離Ｄを、一例として、５μｍ以上１００μｍ以下とすることができる。光制御シート２０の主切断面において、光制御シート２０の法線方向である第３方向Ｄ３に沿った光学シート２１の厚みＴを、一例として、２５μｍ以上６００μｍ以下とすることができる。第１方向Ｄ１に沿った第１遮光部３０の長さ（最大幅）に対する第３方向Ｄ３に沿った第１遮光部３０の高さの比、いわゆるアスペクト比は、典型的には１より大きく１０以下とすることができる。
【００５４】
また、図２に示された光制御シート２０の主切断面において、第１方向Ｄ１に沿った第２遮光部４０の配列ピッチを、一例として、２０μｍ以上５００μｍ以下とすることができる。さらに、第１方向Ｄ１に沿った第２遮光部４０の配列ピッチを、第１方向Ｄ１に沿った第１遮光部３０の配列ピッチと同一にしてもよい。光制御シート２０の主切断面において、第１方向Ｄ１に沿った第２遮光部４０の幅Ｌを、一例として、１０μｍ以上２００μｍ以下とすることができる。
【００５５】
なお、図示された例では、光制御シート２０の主切断面において、各第１遮光部３０の第１方向Ｄ１に沿った長さ（最大幅）は、当該第１遮光部３０に対応する第２遮光部４０の第１方向Ｄ１に沿った長さＬと同一となっている。ただし、この例に限られず、各第１遮光部３０の第１方向Ｄ１に沿った長さ（最大幅）は、当該第１遮光部３０に対応する第２遮光部４０の第１方向Ｄ１に沿った長さＬよりも短くてもよいし、当該第１遮光部３０に対応する第２遮光部４０の第１方向Ｄ１に沿った長さＬよりも長くてもよい。
【００５６】
また、図示された例において、透過光の出射角度範囲に光制御シート２０の法線方向を含める場合、各第１遮光部３０と当該第１遮光部３０に対応する第２遮光部４０が、光制御シート２０の法線方向への投影において、少なくとも部分的に重ねることが好ましい。さらに、透過光の出射角度範囲に光制御シート２０の法線方向を含める場合、第１方向Ｄ１に隣り合う二つの第１遮光部３０の間の空間（突出部分２９）と、第１方向Ｄ１に隣り合う二つの第２遮光部４０の間の隙間が、第１方向Ｄ１において少なくとも部分的に重複する領域に位置していること好ましい。このような構成によれば、光制御シート２０の法線方向に進む光が、少なくとも部分的に、光制御シート２０を法線方向に透過することが可能となる。
【００５７】
図示された例において、各第１遮光部３０と当該第１遮光部３０に対応する第２遮光部４０が、第１方向Ｄ１において同一の領域内に位置している。ただし、この例に限られず、互いに対応する第１遮光部３０及び第２遮光部４０が、第１方向Ｄ１において部分的に同一の領域に位置するようにしてもよい。また、互いに対応する第１遮光部３０及び第２遮光部４０が、第１方向Ｄ１において完全にずれた領域に位置するようにしてもよい。
【００５８】
なお、図示された光制御シート２０における以上に説明した構成は、単なる例示であり、例えば後述する光制御シート２０の機能を考慮して適宜変更することが可能である。例えば、第１遮光部３０の断面形状を、種々の形状に変更することができる。また、光制御シート２０に含まれる多数の第１遮光部３０の間で、形状や配列が異なるようにしてもよいし、同様に、光制御シート２０に含まれる多数の第２遮光部４０の間で、形状や配列が異なるようにしてもよい。
【００５９】
次に、光制御シート２０に用いられる材料について説明する。まず、光制御シート２０の透過部２５は、可視光透過性を有しており、透明である。なお、可視光透過性を有するとは、当該部材（または当該部分）を介して当該部材の一方の側から他方の側を透視し得る程度の透明性を有していることを意味している。光制御シート２０の法線方向に沿ってベース部分２６及び突出部分２９を透過する光の透過率は、例えば、３０％以上、より好ましくは５０％以上、更に好ましくは７０％以上とすることができる。ここで、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。
【００６０】
透過部２５の第２ベース部２８及び突出部分２９は、同一の材料を用いて一体的に成形されていてもよい。第２ベース部２８及び突出部分２９に用いられる材料として、例えば、樹脂材料、とりわけ電離放射線の照射により硬化する電離放射線硬化性樹脂を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、アクリル樹脂が挙げられる。一方、透過部２５の第１ベース部２７は、樹脂性のフィルム、例えばポリエチレンテレフタレート製のフィルムを用いることができる。
【００６１】
第１遮光部３０は、可視光遮光性を有している。光制御シート２０の法線方向に沿って第１遮光部３０を透過する光の透過率は、例えば、５％以下、より好ましくは１％以下、更に好ましくは０．１％以下とすることができる。第１遮光部３０は、バインダーとして機能する主部３６と、主部３６中に分散された可視光吸収材３７と、を有するようにしてもよい。この第１遮光部３０は、可視光吸収性を有する。第１遮光部３０の主部３６に用いられる材料として、例えば、樹脂材料、とりわけ電離放射線の照射により硬化する電離放射線硬化性樹脂の硬化物を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、アクリル樹脂を例示することができる。一方、可視光吸収材３７として、可視光を吸収可能な種々の材料、例えば、顔料等の色材を用いることができる。第１遮光部３０は、カーボンブラックやチタンブラック等の黒色顔料を可視光吸収材３７として含むようにしてもよいし、吸収スペクトルが互いに異なる複数種類の顔料を可視光吸収材３７として含むようにしてもよい。
【００６２】
第２遮光部４０は、可視光遮光性を有している。光制御シート２０の法線方向に沿って第２遮光部４０を透過する光の透過率は、例えば、５％以下、より好ましくは１％以下、更に好ましくは０．１％以下とすることができる。第２遮光部４０は、第１遮光部３０と同様に構成することができる。すなわち、第２遮光部４０は、バインダーとして機能する主部と、主部中に分散された可視光吸収材と、を有するようにしてもよい。
【００６３】
なお、主部３６及び可視光吸収材３７は、図２における一つの第１遮光部３０においてのみ図示しており、その他において図示を省略している。
【００６４】
以上のような構成からなる、光制御シート２０は次のようにして製造され得る。まず、透過部２５と第１遮光部３０とを有する光学シート２１のうちの透過部２５を作製する。最初に、第２ベース部２８及び突出部分２９を、例えば、電子線、紫外線等の電離放射線の照射により硬化する特徴を有するエポキシアクリレート等の硬化性材料を用いて、第１ベース部２７上に作製する。具体的には、透過部２５の凹部２５ａの構成（配置、形状等）に対応した凸部を有する型ロール、言い換えると、突出部分２９の構成（配置、形状等）に対応した凹部を有する型ロールを準備する。
【００６５】
当該型ロールとニップロールとの間に第１ベース部２７をなすようになるフィルム、例えばポリエチレンテレフタレート製のフィルムを送り込み、該フィルムの送り込みに合わせて、硬化性材料を型ロールとフィルムとの間に供給する。その後、フィルム上に供給された未硬化状態で液状の硬化性材料が型ロールの凹部に充填されるように、型ロールおよびニップロールで該硬化性材料を加圧する。このとき、型ロールの凹部の深さより厚くなるように、すなわち、型ロールとフィルムとが接触しないように、硬化性材料をフィルム上に供給しておくことによって、上述した第２ベース部（ランド部）２８が、突出部分２９と一体的に硬化性材料から形成されるようになる。
【００６６】
以上のようにしてフィルムと型ロールとの間に未硬化で液状の硬化性材料を充填した後、光を照射して該硬化性材料を硬化（固化）させる。この結果、フィルムからなる第１ベース部２７上に、第２ベース部２８及び突出部分２９を一体的に成形することができる。このようにして上述した透過部２５が得られる。
【００６７】
次に、硬化することによって主部３６をなすようになる硬化性材料と、可視光吸収材３７と、を含んだ未硬化で液状の組成物を用いて第１遮光部３０を作製する。硬化することによって主部３６をなすようになる硬化性材料として、電離放射線により硬化する特徴を有するウレタンアクリレート等の硬化性材料を用いることができる。まず、先に形成された透過部２５上に組成物を供給する。その後、隣り合う突出部分２９の間に位置する凹部２５ａ、すなわち型ロールの凸部に対応していた部分の内部に、ドクターブレードを用いながら、組成物を充填しつつ、該凹部２５ａ外に溢出した余剰分の組成物を掻き落としていく。その後、凹部２５ａ内の組成物に電離放射線を照射して硬化させることにより、第１遮光部３０が形成される。これにより、透過部２５および透過部２５の凹部２５ａ内に設けられた第１遮光部３０を有する光学シート２１が作製される。
【００６８】
次に、光学シート２１の第１遮光部３０が露出していない側の面上に、第２遮光部４０を形成する。第２遮光部４０は、一例としてグラビア印刷により、第２遮光部４０をなすようになる組成物を光学シート２１上に塗布して塗膜を形成し、当該塗膜を乾燥および硬化させることで、作製され得る。別の方法として、上述した第１遮光部３０を作製するための組成物と同様の組成物を光学シート２１上に塗布して形成した塗膜を、フォトリソグラフィー技術を用いてパターン露光及び現像することで、塗膜をパターニングしてなる第２遮光部４０を得ることができる。この際、光学シート２１の第１遮光部３０が露出した第２主面２１Ｂの側から平行光を照射することで、第１遮光部３０の配置に応じたパターンにて塗膜をパターン露光することができる。
【００６９】
次に、以上のような表示装置１０及び光制御シート２０の作用について説明する。
【００７０】
図６及び図７に示された例において、光制御シート２０は、表示装置１０に適用されている。表示装置１０への適用において、図１〜図５に示された光制御シート２０によれば、光制御シート２０の法線方向である第３方向Ｄ３に対して大きく傾斜した方向に進む光は、第３方向Ｄ３に延びる第１遮光部３０によって吸収される。第３方向Ｄ３に対して大きく傾斜した方向に進む光を遮光することによって、光制御シート２０を透過する光の出射方向を、第３方向Ｄ３を中心とした狭い角度範囲に絞ることができる。表示装置１０への適用においては、画像光の出射方向を狭い角度範囲に制限することで、画像を有効に観察することができる角度範囲、すなわち視野角を狭い範囲に制限することができる。これにより、光制御シート２０は、視野角制御機能を発揮し、覗き見を効果的に防止することができる。
【００７１】
なお、第１遮光部３０が細長く延びる方向を調節することによって、透過光が進みでる角度範囲の中心方向を制御することができる。図示された例とは異なり、第１遮光部３０が第３方向Ｄ３に対して傾斜した方向に細長く延びる場合には、当該第１遮光部３０の長手方向を含む狭い角度範囲に透過光の出射方向を制限することができる。さらに、第２遮光部４０を対応する第１遮光部３０から当該第１遮光部３０の長手方向に沿った延長線上に配置することで、透過光の出射方向の角度範囲を極めて狭い範囲に絞ることが可能となる。
【００７２】
まず、複数の第１遮光部３０による透過光の出射角度範囲を絞る機能について、主として図３を参照しながら説明する。第３方向Ｄ３に延びる第１遮光部３０によれば、光路ＬＰ３よりも第３方向Ｄ３に対して大きな角度で第３方向Ｄ３における一側Ｓ３Ａで第１方向Ｄ１における一側Ｓ１Ａに傾斜した光路を進む光は、第１遮光部３０に入射して遮光、典型的には吸収されるようになる。ここで、光路ＬＰ３は、一つの第１遮光部３０のうちの第１方向Ｄ１における一側Ｓ１Ａかつ第３方向Ｄ３における他側に位置する一側他側端部１ＡＢと、当該一つの第１遮光部３０に第１方向Ｄ１における一側Ｓ１Ａから隣り合う他の一つの第１遮光部３０のうちの第１方向Ｄ１における他側かつ第３方向Ｄ３における一側に位置する他側一側端部１ＢＡと、を通過している。
【００７３】
同様に、図３に示すように、第３方向Ｄ３に延びる第１遮光部３０によれば、光路ＬＰ４よりも第３方向Ｄ３に対して大きな角度で第３方向Ｄ３における一側Ｓ３Ａで第１方向Ｄ１における他側に傾斜した光路を進む光は、第１遮光部３０に入射して遮光、典型的には吸収されるようになる。ここで、光路ＬＰ４は、一つの第１遮光部３０のうちの第１方向Ｄ１における他側かつ第３方向Ｄ３における他側に位置する他側他側端部１ＢＢと、当該一つの第１遮光部３０に第１方向Ｄ１における他側から隣り合う他の一つの第１遮光部３０のうちの第１方向Ｄ１における一側Ｓ１Ａかつ第３方向Ｄ３における一側Ｓ３Ａ他側に位置する一側一側端部１ＡＡと、を通過している。
【００７４】
以上の結果、第１方向Ｄ１に配列された複数の第１遮光部３０によれば、透過光の出射角度範囲を、光路ＬＰ３及び光路ＬＰ４の間のとなる角度範囲ＲＡに絞り込むことができる。
【００７５】
さらに本実施の形態によれば、各第１遮光部３０に対応して第２遮光部４０が設けられている。第１遮光部３０及び第２遮光部４０の組み合わせによれば、透過光の出射角度範囲を極めて狭い範囲ＲＶに絞ることが可能となっている。第１遮光部３０及び第２遮光部４０の組み合わせにより実現される透過光の出射角度範囲ＲＡは、第１遮光部３０のみにより実現される光路ＬＰ３及び光路ＬＰ４で規定された角度範囲ＲＡよりも格段に狭くなる。実際に、図３に示すように、光路ＬＰ３及び光路ＬＰ４に沿って進む光は、第２遮光部４０に入射して遮光、典型的には吸収されている。
【００７６】
図３に示すように、第１遮光部３０及び第２遮光部４０の組み合わせによれば、光路ＬＰ１よりも第３方向Ｄ３に対して大きな角度で第３方向Ｄ３における一側Ｓ３Ａで第１方向Ｄ１における一側Ｓ１Ａに傾斜した光路を進む光を、第１遮光部３０又は第２遮光部４０によって効果的に遮光、典型的には吸収することができる。ここで、光路ＬＰ１は、一つの第２遮光部４０のうちの第１方向Ｄ１における他側に位置する他側端部２Ｂと、当該一つの第２遮光部４０に対応する第１遮光部３０に対して第１方向Ｄ１における他側から隣り合う他の一つの第１遮光部３０のうちの第１方向Ｄ１における一側Ｓ１Ａかつ第３方向Ｄ３における他側に位置する一側他側端部１ＡＢと、を通過している。光路ＬＰ１が第３方向Ｄ３に対してなす角度は、上述した光路ＬＰ３が第３方向Ｄ３に対してなす角度よりも格段に小さくなっている。
【００７７】
同様に、図３に示すように、第１遮光部３０及び第２遮光部４０の組み合わせによれば、光路ＬＰ２よりも第３方向Ｄ３に対して大きな角度で第３方向Ｄ３における一側Ｓ３Ａで第１方向Ｄ１における他側に傾斜した光路を進む光を、第１遮光部３０又は第２遮光部４０によって効果的に遮光、典型的には吸収することができる。ここで、光路ＬＰ２は、一つの第２遮光部４０のうちの第１方向Ｄ１における一側Ｓ１Ａに位置する一側端部２Ａと、当該一つの第２遮光部４０に対応する第１遮光部３０に対して第１方向Ｄ１における一側Ｓ１Ａから隣り合う他の一つの第１遮光部３０のうちの第１方向Ｄ１における他側かつ第３方向Ｄ３における他側に位置する他側他側端部１ＢＢと、を通過している。光路ＬＰ２が第３方向Ｄ３に対してなす角度は、上述した光路ＬＰ４が第３方向Ｄ３に対してなす角度よりも格段に小さくなっている。
【００７８】
以上の結果、第１遮光部３０及び第２遮光部４０の組み合わせによれば、透過光の出射角度範囲を、光路ＬＰ１及び光路ＬＰ１の間のとなる極めて狭い角度範囲ＲＶに効果的に絞り込むことが可能となる。
【００７９】
なお、図１１や図１２に示すように、第２遮光部４０を設けることなく第１遮光部３０の断面形状を変更することにより、透過光の出射角度範囲を絞ることも可能である。しかしながら、図１１や図１２に示された光制御シートについては以下に説明する別の不具合が存在する。
【００８０】
図１１に示された光制御シートでは、第１方向Ｄ１に沿った隣り合う二つの第１遮光部３０Ｘの離間間隔ＬＳの長さを維持しながら、光制御シートの主切断面における第１遮光部３０Ｘの断面形状を相似的に大きくしている。図１１に示された例においても、図３に示された第１遮光部３０及び第２遮光部４０の組み合わせによって実現される透過光の出射角度範囲ＲＶと同程度にまで、透過光の出射角度範囲を狭くすることができる。
【００８１】
しかしながら、図１１に示すように、第１遮光部３０Ｘが極端に大型化する。結果として、第３方向Ｄ３に沿った第１遮光部３０Ｘの高さＨＸが極端に大きくなり、第１方向Ｄ１に沿った第１遮光部３０Ｘの最大幅（第２底面３２の幅ＷＢＸ）も極端に大きくなる。高さＨＸが極端に大きくなることで、光制御シート２０の厚みが厚くなってしまう。また、第１方向Ｄ１に沿った第１遮光部３０Ｘの最大幅（第２底面３２の幅ＷＢＸ）が大きくなると、光制御シート２０の第２主面２１Ｂ上における第１遮光部３０Ｘが占める割合が大きくなる。すなわち、第３方向Ｄ３からの観察における第１遮光部３０Ｘが設けられていない領域の割合、言い換えると第３方向Ｄ３からの観察における透過部２５が設けられている領域の割合（開口率）は、極端に小さくなる。したがって、光制御シート２０の透過率が大幅に低下してしまうという不具合が生じる。
【００８２】
一方、図１２に示された光制御シートでは、第１方向Ｄ１に沿った隣り合う二つの第１遮光部３０Ｙの離間間隔ＬＳの長さや第１方向Ｄ１に沿った第１遮光部３０Ｙの第１底面３１の幅ＷＢＹを維持しながら、第３方向Ｄ３に沿った第１遮光部３０Ｙの高さＨＹを高くしている。図１２に示された例においても、図３に示された第１遮光部３０及び第２遮光部４０の組み合わせによって実現される透過光の出射角度範囲ＲＶと同程度にまで、透過光の出射角度範囲を狭くすることができる。
【００８３】
図１２に示された例では、第３方向Ｄ３からの観察における透過部２５が設けられている領域の割合（開口率）を維持することができる。したがって、光制御シート２０の透過率を概ね維持することができる。しかしながら、図１２に示された例では、第１遮光部３０Ｙのアスペクト比、すなわち幅ＷＢＹに対する高さＨＹの比（ＨＹ／ＷＢＹ）が極端に大きくなる。したがって、第１遮光部３０の製造が極めて困難になってしまう。
【００８４】
図１１及び図１２に示された例と比較して、本実施の形態によれば、第１遮光部３０及び第２遮光部４０を組み合わせて用いることで、透過光の出射角度範囲ＲＶを効果的に狭くすることができる。とりわけ、開口率を維持して光制御シート２０の透過率を大きく低下させることなく、さらに第１遮光部３０のアスペクトが大きくなり過ぎることを効果的に回避しながら、透過光の出射角度範囲ＲＶを効果的に狭くすることができる。
【００８５】
なお、以上においては、第１遮光部３０及び第２遮光部４０が画像光を遮光して視野角を狭めることに言及した。しかしながら、第１遮光部３０及び第２遮光部４０は、画像光だけでなく、環境光等の外光を吸収することもできる。環境光を遮光、とりわけ吸収することで、表示装置１０によって表示される画像のコントラストを改善することも可能となる。
【００８６】
さらに、次に説明するように構成することで、透過光の出射角度範囲ＲＶを有効に狭い範囲とすることができる。
【００８７】
まず、次の条件Ａが満たされることが好ましい。
（条件Ａ）：光制御シート２０の主切断面において、各第２遮光部４０の第１方向Ｄ１における一側Ｓ１Ａとなる一側端部２Ａと、当該第２遮光部４０に対応する一つの第１遮光部３０に第１方向Ｄ１における他側から隣り合う他の一つの第１遮光部３０のうちの第１方向Ｄ１における最も一側であり且つ第３方向Ｄ３における第２遮光部４０から最も離間する他側となる位置（一側他側端部１ＡＢ）と、を通過する直線ＬＬ１（図３参照）が、当該第２遮光部４０に対応する一つの第１遮光部３０と交差する。
【００８８】
上述したように、第１遮光部３０及び第２遮光部４０の組み合わせによれば、第１方向Ｄ１に隣り合う二つの第１遮光部３０の間と、当該二つの第１遮光部３０に対応する二つの第２遮光部４０の間と、を通過する光の進行方向を制限することで、透過光の出射角度範囲を狭めることができる。しかしながら、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光が生じることも考えられる。このような光は僅かであり、例えば光制御シート２０を表示装置１０に適用して視野角制御を行う場合には、大きな不具合とはなりにくい。ただし、条件Ａを満たすことにより、このような光を第１遮光部３０及び第２遮光部４０のいずれかに入射させて遮光することが可能となる。すなわち、条件Ａが満たされることで、開口率を維持して透過率を大きく低下させることなく、透過光の出射角度範囲を有効に狭めることができる。光制御シート２０を表示装置１０に適用した場合には、画像の明るさを大きく低下させることなく、視野角を有効に狭めることができる。
【００８９】
また、次の条件Ｂが満たされることが好ましい。
（条件Ｂ）：光制御シート２０の主切断面において、第１方向Ｄ１に沿った第１遮光部３０なす台形形状の上底３１Ａの幅をＷＡ〔μｍ〕とし、第１方向Ｄ１に沿った第１遮光部３０をなす台形形状の下底３２Ａの幅をＷＢ〔μｍ〕とし、第３方向Ｄ３に沿った第１遮光部３０をなす台形形状の高さをＨ〔μｍ〕とし、第１方向Ｄ１に沿った第２遮光部４０の幅をＬ〔μｍ〕とし、第３方向Ｄ３に沿った第１遮光部３０および第２遮光部４０の離間距離をＤ〔μｍ〕とし、第１方向Ｄ１に沿った第１遮光部３０の配列ピッチをＰ〔μｍ〕として、次の式が成り立つ。
（Ｐ−ＷＡ／２−ＷＢ／２）／Ｈ≦（ＷＡ＋Ｌ）／（２×Ｄ）
【００９０】
条件Ｂの式の左辺「（Ｐ−ＷＡ／２−ＷＢ／２）／Ｈ」は、図４における角度θＢに関する「ｔａｎθＢ」の値となる。また、条件Ｂの式の右辺「（ＷＡ＋Ｌ）／（２×Ｄ）」は、図４における角度θＣに関する「ｔａｎθＣ」の値となる。そして、条件Ｂの式が満たされることは、角度θＣが角度θＢ以上となることを意味している。すなわち、条件Ｂが満たされることで、条件Ａが満たされる場合と同様に、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によって効果的に遮光することが可能となる。したがって、条件Ｂが満たされることで、開口率を維持して透過率を大きく低下させることなく、透過光の出射角度範囲を有効に狭めることができる。光制御シート２０を表示装置１０に適用した場合には、画像の明るさを大きく低下させることなく、視野角を有効に狭めることができる。
【００９１】
なお、図示された例において、第１遮光部３０及び第２遮光部４０の間に位置する透過部２５は、第１ベース部２７、第２ベース部２８及び突出部分２９を有している。透過部２５内において、異なる屈折率の部分があれば、当該異なる屈折率を有した二つの部分の界面で光が屈折する。屈折率を調節しておくことで問題となることは生じ難いが、厳密に評価すると、条件Ａ及び条件Ｂに代えて、次の条件Ｃが満たされることが好ましい。
（条件Ｃ）：光制御シート２０の主切断面において、各第２遮光部４０の第１方向Ｄ１における一側Ｓ１Ａとなる一側端部２Ａに接するようにして入射した後、当該第２遮光部４０に対応する一つの第１遮光部３０が存在しないとの仮定で、一つの第１遮光部３０に第１方向Ｄ１における他側から隣り合う他の一つの第１遮光部３０のうちの第１方向Ｄ１における最も一側であり且つ第３方向Ｄ３における第２遮光部４０から最も離間する他側となる位置（一側他側端部１ＡＢ）に向かう光の光路ＬＰ６と交差するように、当該第２遮光部４０に対応する一つの第１遮光部３０が配置されている。
【００９２】
条件Ｃにおける「当該第２遮光部４０に対応する一つの第１遮光部３０が存在しないとの仮定で」とは、対象となる一つの第１遮光部３０が存在せずに、当該一つの第１遮光部３０と隣り合う他の第１遮光部３０との間に存在する部分と同一の屈折率を有する部分が代わりに存在することを仮定している。図示された例においては、対象となる一つの第１遮光部３０に代えて突出部分２９と同一の屈折率を有する材料が設けられていると仮定して二つの位置２Ａ，１ＡＢを通過する光の光路が、対象となる一つの第１遮光部３０と交差することになる。この条件Ｃが満たされる場合には、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によってより効果的に遮光することが可能となる。開口率を維持して透過率を大きく低下させることなく、透過光の出射角度範囲を有効に狭めることができる。光制御シート２０を表示装置１０に適用した場合には、画像の明るさを大きく低下させることなく、視野角を有効に狭めることができる。
【００９３】
さらに、次の条件Ｄが満たされることが好ましい。
（条件Ｄ）：光制御シート２０の主切断面において、各第２遮光部４０の第１方向Ｄ１における一側Ｓ１Ａとなる一側端部２Ａに接するようにして入射した後、第１遮光部３０及び第２遮光部４０の間となる領域（図示された例において、ベース部分２６）の屈折率をｎとしてＡｒｃｓｉｎ（１／ｎ）〔°〕で表される角度だけ光制御シート２０の法線方向（図示された例において、第３方向Ｄ３）に対して第３方向Ｄ３における他側で第１方向Ｄ１における他側に傾斜した方向に進む光が、当該第２遮光部４０に対応する一つの第１遮光部３０、又は、この一つの第１遮光部３０に第１方向Ｄ１における他側から隣り合う他の一つの第１遮光部３０に入射する。
【００９４】
第１遮光部３０及び第２遮光部４０の間となる領域の屈折率をｎとし、光制御シート２０への入射角度をθＡとすると、光制御シート２０内において光の進行方向が法線方向である第３方向Ｄ３に対してなす角度は、スネルの法則を用いて、Ａｒｃｓｉｎ（ｓｉｎθＡ／ｎ）〔°〕となる。したがって、光制御シート２０のシート面に沿って進み光制御シート２０内に入射した光の進行方向が光制御シート２０の法線方向に対してなす角度θＴ（図３〜図５参照）は、入射角度を９０°としてスネル法則を適用することにより、Ａｒｃｓｉｎ（１／ｎ）〔°〕となる。つまり、光制御シート２０内を進む光の進行方向が光制御シート２０の法線方向に対してなす最大の角度θＴは、Ａｒｃｓｉｎ（１／ｎ）〔°〕となる。そして、条件Ｄが満たされると、図３に示すように、第２遮光部４０の一側端部２Ａに接するようにして光制御シート２０内に入射して光制御シート２０内を最大進行角度θＴで進行する光ＬＰ５は、いずれかの第１遮光部３０に入射して遮光されるようになる。
【００９５】
すなわち、条件Ｄが満たされることで、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によってより効果的に遮光することが可能となる。これにより、条件Ｄが満たされることで、開口率を維持して透過率を大きく低下させることなく、透過光の出射角度範囲を有効に狭めることができる。光制御シート２０を表示装置１０に適用した場合には、画像の明るさを大きく低下させることなく、視野角を有効に狭めることができる。
【００９６】
さらに、条件Ｄに代えて条件Ｅが満たされることが好ましい。
（条件Ｅ）：光制御シート２０の主切断面において、各第２遮光部４０の第１方向Ｄ１における一側Ｓ１Ａとなる一側端部２Ａに接するようにして入射した後、第１遮光部３０及び第２遮光部４０の間となる領域（図示された例において、ベース部分２６）の屈折率をｎとしてＡｒｃｓｉｎ（１／ｎ）〔°〕で表される角度だけ光制御シート２０の法線方向（図示された例において、第３方向Ｄ３）に対して第３方向Ｄ３における他側で第１方向Ｄ１における他側に傾斜した方向に進む光が、当該第２遮光部４０に対応する一つの第１遮光部３０に入射する。
【００９７】
条件Ｅが満たされて、図３に示すように、対象となる光路ＬＰ５を進む光が第２遮光部４０に対応する一つの第１遮光部３０に入射する場合、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によってさらに効果的に遮光することが可能となる。これにより、条件Ｄが満たされることで、開口率を維持して透過率を大きく低下させることなく、透過光の出射角度範囲を有効に狭めることができる。光制御シート２０を表示装置１０に適用した場合には、画像の明るさを大きく低下させることなく、視野角を有効に狭めることができる。
【００９８】
さらに、条件Ｆが満たされることが好ましい。
（条件Ｆ）：光制御シート２０の主切断面において、第１遮光部３０及び第２遮光部４０の間となる領域（図示された例において、ベース部分２６）の屈折率をｎとし、第１方向Ｄ１に沿った第２遮光部４０の幅をＬ〔μｍ〕とし、光制御シート２０の法線方向（図示された例において、第３方向Ｄ３）に沿った第１遮光部３０および第２遮光部４０の離間距離をＤ〔μｍ〕として、次の式が成り立つ。
Ａｒｃｓｉｎ（１／ｎ）≦Ａｒｃｔａｎ（Ｌ／（２×Ｄ））
【００９９】
条件Ｆの式の左辺は、上述したように、光制御シート２０のシート面に沿って進み光制御シート２０内に入射した光の進行方向が光制御シート２０の法線方向に対してなす角度θＴである。すなわち、条件Ｆの式の左辺は、光制御シート２０内を進む光の進行方向が光制御シート２０の法線方向に対してなす最大の角度θＴである。一方、条件Ｆの式の右辺は、図５における角度θＤを表している。そして、条件Ｆの式が満たされることは、角度θＤが角度θＴ以上となることを意味している。つまり、条件Ｆが満たされることで、第１遮光部３０の第１底面３１（上底３１Ａ）の幅ＷＡに依存することなく、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によって効果的に遮光することが可能となる。これにより、光制御シート２０を透過した光の出射方向を有効に狭い角度範囲ＲＶに絞ることができる。
【０１００】
さらに、条件Ｇが満たされることが好ましい。
（条件Ｇ）：光制御シート２０の主切断面において、第１遮光部３０及び第２遮光部４０の間となる領域（図示された例において、ベース部分２６）の屈折率をｎとし、第１方向Ｄ１に沿った第１遮光部３０の上底３１Ａの幅をＷＡ〔μｍ〕とし、第１方向Ｄ１に沿った第２遮光部４０の幅をＬ〔μｍ〕とし、光制御シート２０の法線方向（図示された例において、第３方向Ｄ３）に沿った第１遮光部３０および第２遮光部４０の離間距離をＤ〔μｍ〕として、次の式が成り立つ。
Ａｒｃｓｉｎ（１／ｎ）≦Ａｒｃｔａｎ（（Ｌ＋ＷＡ）／（２×Ｄ））
【０１０１】
条件Ｇの式の左辺は、条件Ｆの式の左辺と同一であって、光制御シート２０のシート面に沿って進み光制御シート２０内に入射した光の進行方向が光制御シート２０の法線方向に対してなす角度θＴである。すなわち、条件Ｇの式の左辺は、光制御シート２０内を進む光の進行方向が光制御シート２０の法線方向に対してなす最大の角度θＴである。一方、条件Ｇの式の右辺は、図４における角度θＣを表している。そして、条件Ｇの式が満たされることは、角度θＣが角度θＴ以上となることを意味している。つまり、条件Ｇが満たされることで、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によって効果的に遮光することが可能となる。これにより、光制御シート２０を透過した光の出射方向を有効に狭い角度範囲ＲＶに絞ることができる。
【０１０２】
なお、条件Ｇの右辺は条件Ｆの右辺よりも大きくなる傾向にある。したがって、条件Ｆに代えて条件Ｇが満たされる場合、第１遮光部３０と第２遮光部４０との間の第３方向Ｄ３に沿った離間距離Ｄを長く設定することができる。したがって、条件Ｆに加えて条件Ｇが満たされる場合、光制御シート２０を透過した光の出射方向をより狭い角度範囲ＲＶに絞ることができる。
【０１０３】
さらに、条件Ｈが満たされることが好ましい。
（条件Ｈ）：光制御シート２０の主切断面において、各第２遮光部４０の第１方向Ｄ１における一側Ｓ１Ａとなる一側端部２Ａに接するようにして入射した後、光制御シート２０の法線方向（図示された例において、第３方向Ｄ３）に対して第１方向Ｄ１における他側に傾斜した方向に進む光は、当該第２遮光部４０に対応する一つの第１遮光部３０、又は、この一つの第１遮光部３０に第１方向Ｄ１における他側から隣り合う他の一つの第１遮光部３０に入射する。
【０１０４】
条件Ｈが満たされる場合、条件Ｄが満たされる場合、各第２遮光部４０の一側Ｓ１Ａ接するようにして光制御シート２０内に入射して光制御シート２０の法線方向に対して第１方向Ｄ１における他側に傾斜した方向に進む光は、当該第２遮光部４０に対応する一つの第１遮光部３０と、この一つの第１遮光部３０に第１方向Ｄ１における他側から隣り合う他の一つの第１遮光部３０と、の間を通過することができない。すなわち、条件Ｈが満たされることで、第１方向Ｄ１に隣り合う二つの第１遮光部３０の間と、当該二つの第１遮光部３０に対応する二つの第２遮光部４０とは異なる組み合わせの二つの第２遮光部４０の間と、を通過する光を、第１遮光部３０又は第２遮光部４０によって効果的に遮光することが可能となる。これにより、条件Ｈが満たされることで、透過光の出射角度範囲を有効に狭めることができる。
【０１０５】
なお、透過光の出射角度範囲ＲＶを狭くする観点から、第３方向Ｄ３に沿った第１遮光部３０と第２遮光部４０との間の離間距離は長く設定されることが好ましい。例えば、条件Ｉが満たされるようにしてもよい。
（条件Ｉ）：光制御シート２０の主切断面において、第１方向Ｄ１に沿った第１遮光部３０がなす台形形状の上底３１Ａの幅をＷＡ〔μｍ〕とし、光制御シートの法線方向（図示された例において、第３方向Ｄ３）に沿った第１遮光部３０及び第２遮光部４０の離間距離をＤ〔μｍ〕として、次の式が成り立つ。
ＷＡ／２≦Ｄ
条件Ｉが満たされる場合、第２遮光部４０を第１遮光部３０から離間させることで、透過光の出射角度範囲ＲＶを効果的に狭めることができる。
【０１０６】
さらに、透過光の出射角度範囲Ｒθを狭く絞る観点から、条件Ｊが満たされるようにしてもよい。
（条件Ｊ）：光制御シート２０の主切断面において、第１方向Ｄ１に沿った第２遮光部４０の幅をＬ〔μｍ〕とし、光制御シートの法線方向（図示された例において、第３方向Ｄ３）に沿った第１遮光部３０及び第２遮光部４０の離間距離をＤ〔μｍ〕として、次の式が成り立つ。
Ｌ／２≦Ｄ
条件Ｊが満たされる場合、第２遮光部４０を第１遮光部３０から離間させることで、透過光の出射角度範囲ＲＶを効果的に狭めることができる。
【０１０７】
以上に説明してきたように、本実施の形態において、光制御シート２０は、一方向（図示された例において、第１方向Ｄ１）に配列された可視光遮光性を有する複数の第１遮光部３０と、一方向に配列された可視光遮光性を有する複数の第２遮光部４０と、を有している。各第１遮光部３０に対応して一つの第２遮光部４０が設けられ、複数の第２遮光部４０は、光制御シート２０の法線方向（図示された例において、第３方向Ｄ３）に複数の第１遮光部３０から離間している。このような本実施の形態によれば、第１遮光部３０及び第２遮光部４０を組み合わせて用いることで、第２遮光部４０が設けられていない場合と比較して、光制御シート２０を透過する光の出射方向の角度範囲ＲＶを大幅に狭めることができる。とりわけ、光制御シート２０の法線方向からの観察において、第１遮光部３０が設けられていない面積の割合（開口率）を維持して透過率の低下を回避しながら、透過光の出射角度範囲を大幅に狭めることができる。例えば光制御シート２０を表示装置１０に適用した場合には、明るさの低下を防止しながら、有効に画像を視認することができる視野角の大きさを大幅に狭めることができる。すなわち、意図しない方向から画像が観察されることを効果的に回避することができる。
【０１０８】
具体例を参照しながら一実施の形態を説明してきたが、上述の具体例が一実施の形態を限定することを意図していない。上述した一実施の形態は、その他の様々な具体例で実施されることが可能であり、その要旨を逸脱しない範囲で、種々の省略、置き換え、変更を行うことができる。
【０１０９】
以下、図面を参照しながら、変形の一例について説明する。以下の説明および以下の説明で用いる図面では、上述した具体例と同様に構成され得る部分について、上述の具体例における対応する部分に対して用いた符号と同一の符号を用いるとともに、重複する説明を省略する。
【０１１０】
上述した一実施の形態の一具体例において、各第１遮光部３０の一方向Ｄ１に沿った長さ（最大幅）は、当該第１遮光部３０に対応する第２遮光部４０の一方向Ｄ１に沿った長さと同一となっている。このような構成によれば、視野角を狭めることができるとともに、透過光量も十分に確保することができる。
【０１１１】
ただし、各第１遮光部３０の一方向Ｄ１に沿った長さ（最大幅）は、当該第１遮光部３０に対応する第２遮光部４０の一方向Ｄ１に沿った長さより長くなっていてもよい。このような構成によれば、第１遮光部３０を大きくすることができるので、第１遮光部３０を高アスペクト化しやすくなる。これにより、有効に視野角を狭めることができる。
【０１１２】
また、各第１遮光部３０の一方向Ｄ１に沿った長さ（最大幅）は、当該第１遮光部３０に対応する第２遮光部の前記一方向に沿った長さより短くなっていてもよい。このような構成によれば、第２遮光部４０を用いることで、所望の視野角を確保しやすくなる。
【０１１３】
また、上述の一具体例において、第１遮光部３０は、第１方向Ｄ１に等間隔に配置されていたが、この例に限られず、第１遮光部３０の第１方向Ｄ１に沿った配置ピッチが一定でないようにしてもよい。また、上述の一具体例において、第１遮光部３０は、第２方向Ｄ２に沿って一定の断面形状を有する例を示したが、第１遮光部３０の断面形状が第２方向Ｄ２における位置に応じて変化するようにしてもよい。さらに、上述の一具体例において、光制御シート２０に含まれる多数の第１遮光部３０が互いに同一に構成されていたが、この例に限られず、光制御シート２０に含まれる多数の第１遮光部３０が互いに異なる構成を有するようにしてもよい。
【０１１４】
同様に、第２遮光部４０は、第１方向Ｄ１に等間隔に配置されていたが、この例に限られず、第２遮光部４０の第１方向Ｄ１に沿った配置ピッチが一定でないようにしてもよい。また、上述の一具体例において、第２遮光部４０は、第２方向Ｄ２に沿って一定の幅を有する例を示したが、第２遮光部４０の幅が第２方向Ｄ２における位置に応じて変化するようにしてもよい。さらに、上述の一具体例において、光制御シート２０に含まれる多数の第２遮光部４０が互いに同一に構成されていたが、この例に限られず、光制御シート２０に含まれる多数の第２遮光部４０が互いに異なる構成を有するようにしてもよい。
【０１１５】
さらに、上述した一具体例において、各第１遮光部３０と、当該第１遮光部３０に対応する第２遮光部４０は、第１方向Ｄ１において揃えて配置されている例を示した。より具体的には、上述した一具体例において、各第１遮光部３０の第１方向Ｄ１における中心と、当該第１遮光部３０に対応する第２遮光部４０の第１方向Ｄ１における中心が、第１方向Ｄ１において一致するよう、第１遮光部３０及び第２遮光部４０が位置決めされていた。しかしながら、図８に示すように、各第１遮光部３０の第１方向Ｄ１における中心と、当該第１遮光部３０に対応する第２遮光部４０の第１方向Ｄ１における中心が、第１方向Ｄ１においてずれるようにしてもよい。
【０１１６】
図８に示された例において、各第１遮光部３０の第１方向Ｄ１における中心に対して、当該第１遮光部３０に対応する第２遮光部４０の第１方向Ｄ１における中心は、第１方向Ｄ１において一側Ｓ１Ａにずれている。このような例において、光制御シート２０を透過する光の出射方向の角度範囲ＲＶは、第１方向Ｄ１における一方の側よりも他方の側により広く広がる。図８に示された例において、光制御シート２０の法線方向である第３方向Ｄ３に沿った第２遮光部４０の側（一側Ｓ３Ａ）における透過光の出射角度範囲は、第３方向Ｄ３に対して第１方向Ｄ１における一側Ｓ１Ａに広がっている。また図８に示された例において、光制御シート２０の法線方向である第３方向Ｄ３に沿った第１遮光部３０の側（他側）における透過光の出射角度範囲は、第３方向Ｄ３に対して第１方向Ｄ１における他側に広がっている。
【０１１７】
さらに、上述してきた光制御シート２０を組み合わせて用いることも可能である。図９は、複数の光制御シート２０を含む光制御シート組合体１８を示している。光制御シート組合体１８は、第１光制御シート２０Ａ及び第２光制御シート２０Ｂを含んでいる。第１光制御シート２０Ａは、上述した光制御シート２０と同様の構成を有し、同様に配置されている。一方、第２光制御シート２０Ｂは、上述した光制御シート２０と同様の構成を有している。ただし、第１光制御シート２０Ａにおける第１遮光部３０の配列方向及び第２遮光部４０の配列方向は、第２光制御シート２０Ｂにおける第１遮光部３０の配列方向及び第２遮光部４０の配列方向と非平行となっている。このような光制御シート組合体１８によれば、第１光制御シート２０Ａにおける第１遮光部３０及び第２遮光部４０の配列方向と、第２光制御シート２０Ｂにおける第１遮光部３０及び第２遮光部４０の配列方向との二方向に沿って、透過光の進行方向を狭い角度範囲内に絞ることができる。
【０１１８】
図９に示された例では、第１光制御シート２０Ａ及び第２光制御シート２０Ｂは、第３方向Ｄ３に積層されている。第１光制御シート２０Ａにおける第１遮光部３０及び第２遮光部４０は第１方向Ｄ１に配列されている。一方、第２光制御シート２０Ｂにおける第１遮光部３０及び第２遮光部４０は第２方向Ｄ２に配列されている。したがって、光制御シート組合体１８を透過する光の進行方向を第１方向Ｄ１及び第２方向Ｄ２の両方に沿って狭い角度範囲内に絞ることができる。
【０１１９】
また、光制御シート２０及び光制御シート組合体１８は、表示装置１０への適用に限定されない。光制御シート２０及び光制御シート組合体１８は、例えば、二つの空間を区画するために用いられる区画部材５０に適用することができる。このような区画部材５０として、建物や移動体の窓を例示することができる。また、図１０に示すように、パーテーションとして用いられる区画部材５０に光制御シート２０を適用することも可能である。
【符号の説明】
【０１２０】
１０    表示装置
１２    面光源装置
１５    画像形成装置
１８    光制御シート組合体
２０    光制御シート
２１    光学シート
２１Ａ  第１主面
２１Ｂ  第２主面
２５    透過部
２５ａ  凹部
２６    ベース部分
２７    第１ベース部
２８    第２ベース部
２９    突出部分
３０    第１遮光部
３１    第１底面
３１Ａ  上底
３２    第２底面
３２Ａ  下底
３３    第１側面
３４    第２側面
３６    主部
３７    可視光吸収材
４０    第２遮光部
５０    区画部材
Ｄ１    第１方向
Ｓ１Ａ  一側
Ｄ２    第２方向
Ｓ２Ａ  一側
Ｄ３    第３方向
Ｓ３Ａ  一側
１ＡＡ  一側一側端部
１ＡＢ  一側他側端部
１ＢＡ  他側一側端部
１ＢＢ  他側他側端部
２Ａ    一側端部
２Ｂ    他側端部
【図１】
2020140043.tif 000003
【図２】
2020140043.tif 000004
【図３】
2020140043.tif 000005
【図４】
2020140043.tif 000006
【図５】
2020140043.tif 000007
【図６】
2020140043.tif 000008
【図７】
2020140043.tif 000009
【図８】
2020140043.tif 000010
【図９】
2020140043.tif 000011
【図１０】
2020140043.tif 000012
【図１１】
2020140043.tif 000013
【図１２】
2020140043.tif 000014